(57)【特許請求の範囲】
【請求項１】
ＰＣと、
該ＰＣに接続され前記ＰＣから送信される電話番号により特定される相手との間で無線通信を行う無線通信装置からなる無線通信システムであって、
前記ＰＣは発信指示の情報とパスワード情報と電話番号を含む１つの文字列情報を前記無線通信装置に送信し、
前記無線通信装置は、
パスワードを記憶するパスワード記憶手段と、
前記ＰＣから前記文字列情報を取得するインターフェース手段と、
前記文字列情報からパスワード情報を検出するパスワード検出手段と、
前記パスワード記憶手段に記憶されているパスワードと、前記パスワード検出手段が検出したパスワード情報とが一致するか否かを判定するパスワード判定手段と、
前記パスワード判定手段による判定が一致した場合に、前記インターフェース手段が取得した前記文字列情報内の発信指示の情報に従って、前記電話番号により特定される相手に対して発信を行う制御手段と、
を有することを特徴とする無線通信システム。
【請求項２】
前記パスワード記憶手段は、前記電話番号により特定される相手の電話番号と前記パスワードとを対応付けて記憶し、
前記パスワード判定手段は、前記パスワード記憶手段に記憶されている電話番号及びパスワードと、前記インターフェース手段が取得した前記文字列情報内の電話番号及び前記パスワード検出手段が検出したパスワード情報とがそれぞれ一致するか否かを判定することを特徴とする請求項１に記載の無線通信システム。
【請求項３】
前記パスワード記憶手段は、複数の電話番号により特定される相手の電話番号と、前記複数の電話番号に対応つけられる共通のパスワードを記憶し、
前記パスワード判定手段は、前記パスワード記憶手段に記憶されている複数の電話番号のいずれか１つの電話番号及び前記パスワードと、前記インターフェース手段が取得した前記文字列情報内の電話番号及び前記パスワード検出手段が検出したパスワード情報とがそれぞれ一致するか否かを判定することを特徴とする請求項１に記載の無線通信システム。
【請求項４】
前記制御手段は、前記パスワード記憶手段にパスワードが記憶されていなかった場合、前記文字列情報内の前記電話番号により特定される相手に対して発信を行うことを特徴とする請求項１〜３のいずれかの項に記載の無線通信システム。
【請求項５】
前記ＰＣはパスワード変更指示の情報と第１および第２のパスワード情報と電話番号を含む文字列情報を前記無線通信装置に送信し、
前記パスワード検出手段は、前記文字列情報から前記第１および第２のパスワード情報を検出し、
前記パスワード判定手段は、前記パスワード記憶手段に記憶されているパスワードと、前記第１のパスワード情報とが一致するか否かを判定し、
前記制御手段は、前記パスワード判定手段による判定が一致した場合に、前記パスワード変更指示の情報に従って、前記パスワード記憶手段に記憶されている前記パスワードを前記第２のパスワード情報に変更することを特徴とする請求項１に記載の無線通信システム。
【請求項６】
前記制御手段は、前記パスワード判定手段による判定が一致しない場合に、判定を行う時間を遅延させる処理、前記電話番号により特定される相手への発信を拒否する処理、位置情報を前記電話番号により特定される相手へ送信する処理のいずれか１つ以上の処理を更に実行することを特徴とする請求項１〜３のいずれかの項に記載の無線通信システム。
【請求項７】
ＰＣと、該ＰＣに接続され前記ＰＣから送信される電話番号により特定される相手との間で無線通信を行う無線通信装置とからなる無線通信システムの制御プログラムであって、
前記ＰＣから発信指示の情報とパスワード情報と電話番号を含む１つの文字列情報を前記無線通信装置に送信する第１のステップと、
パスワードを記憶する第２のステップと、
前記ＰＣから前記文字列情報を取得する第３のステップと、
前記文字列情報からパスワード情報を検出する第４のステップと、
前記パスワード記憶手段に記憶されているパスワードと、前記第４のステップで検出したパスワード情報とが一致するか否かを判定する第５のステップと、
前記第５のステップでの判定が一致した場合に、前記文字列情報内の発信指示の情報に従って、前記第３のステップで取得した前記電話番号に基づいて、前記電話番号により特定される相手に対して発信を行う第６のステップと、
をコンピュータに実行させるための無線通信システムの制御プログラム。
【発明の詳細な説明】
【技術分野】
【０００１】
本発明は、ＰＣに装着することにより、基地局であるアクセスポイント等との間で無線通信を行うための無線通信装置及びその制御プログラムに関する。
【背景技術】
【０００２】
従来から、盗難等により紛失した端末が不正に利用されるのを防止する方法として、携帯電話の不正使用防止方法に関する技術が知られている（特許文献１参照）。この携帯電話の不正使用防止方法では、携帯電話に予め所定のパスワードを記憶させておき、その携帯電話を紛失した場合に、その携帯電話に対して他の電話機からパスワードを含んだ電話番号を発信するようにしていた。そして、携帯電話が受信した電話番号の情報に含まれるパスワードがその携帯電話に記憶されているパスワードと一致した場合に、携帯電話の操作部をロックすることにより、第三者が携帯電話の操作を行うことができないようにしていた。
【特許文献１】特開２００３−１４３６４９号公報
【発明の開示】
【発明が解決しようとする課題】
【０００３】
しかしながら、特許文献１に記載されている携帯電話の不正使用防止方法では、紛失した携帯電話の電源が入っていなければ、その携帯電話を操作不能な状態にすることができなかった。よって、ＰＣ（Personal Computer）等に装着して使用するデータ通信カード等に対して上記の不正使用防止方法を適用したとしても、データ通信カードにはＰＣの使用時にしか電力が供給されないため、必ずしも第三者の不正使用を防止することはできないという問題があった。
【０００４】
本発明は、上記事情を考慮してなされたものでその目的は、盗難等により紛失した場合であっても、第三者による不正使用を防止することができる無線通信システム及びその制御プログラムを提供することにある。
【課題を解決するための手段】
【０００５】
本発明の無線通信システムは、ＰＣと、該ＰＣに接続され前記ＰＣから送信される電話番号により特定される相手との間で無線通信を行う無線通信装置からなる無線通信システムであって、前記ＰＣは発信指示の情報とパスワード情報と電話番号を含む１つの文字列情報を前記無線通信装置に送信し、前記無線通信装置は、パスワードを記憶するパスワード記憶手段と、前記ＰＣから前記文字列情報を取得するインターフェース手段と、前記文字列情報からパスワード情報を検出するパスワード検出手段と、前記パスワード記憶手段に記憶されているパスワードと、前記パスワード検出手段が検出したパスワード情報とが一致するか否かを判定するパスワード判定手段と、前記パスワード判定手段による判定が一致した場合に、前記インターフェース手段が取得した前記文字列情報内の発信指示の情報に従って、前記電話番号により特定される相手に対して発信を行う制御手段とを有することを特徴とする。
【０００６】
また、本発明の無線通信システムは、前記パスワード記憶手段は、前記電話番号により特定される相手の電話番号と前記パスワードとを対応付けて記憶し、前記パスワード判定手段は、前記パスワード記憶手段に記憶されている電話番号及びパスワードと、前記インターフェース手段が取得した前記文字列情報内の電話番号及び前記パスワード検出手段が検出したパスワード情報とがそれぞれ一致するか否かを判定することを特徴とする。
【０００７】
また、本発明の無線通信システムは、前記パスワード記憶手段は、複数の電話番号により特定される相手の電話番号と、前記複数の電話番号に対応つけられる共通のパスワードを記憶し、前記パスワード判定手段は、前記パスワード記憶手段に記憶されている複数の電話番号のいずれか１つの電話番号及び前記パスワードと、前記インターフェース手段が取得した前記文字列情報内の電話番号及び前記パスワード検出手段が検出したパスワード情報とがそれぞれ一致するか否かを判定することを特徴とする。
【０００８】
また、本発明の無線通信システムは、前記制御手段は、前記パスワード記憶手段にパスワードが記憶されていなかった場合、前記文字列情報内の前記電話番号により特定される相手に対して発信を行うことを特徴とする。
【０００９】
また、本発明の無線通信システムは、前記ＰＣはパスワード変更指示の情報と第１および第２のパスワード情報と電話番号を含む文字列情報を前記無線通信装置に送信し、
前記パスワード検出手段は、前記文字列情報から前記第１および第２のパスワード情報を検出し、前記パスワード判定手段は、前記パスワード記憶手段に記憶されているパスワードと、前記第１のパスワード情報とが一致するか否かを判定し、前記制御手段は、前記パスワード判定手段による判定が一致した場合に、前記パスワード変更指示の情報に従って、前記パスワード記憶手段に記憶されている前記パスワードを前記第２のパスワード情報に変更することを特徴とする。
【００１０】
また、本発明の無線通信システムは、前記制御手段は、前記パスワード判定手段による判定が一致しない場合に、判定を行う時間を遅延させる処理、前記電話番号により特定される相手への発信を拒否する処理、位置情報を前記電話番号により特定される相手へ送信する処理のいずれか１つ以上の処理を更に実行することを特徴とする。
【００１１】
また、本発明の無線通信システムの制御プログラムは、ＰＣと、該ＰＣに接続され前記ＰＣから送信される電話番号により特定される相手との間で無線通信を行う無線通信装置とからなる無線通信システムの制御プログラムであって、前記ＰＣから発信指示の情報とパスワード情報と電話番号を含む１つの文字列情報を前記無線通信装置に送信する第１のステップと、パスワードを記憶する第２のステップと、前記ＰＣから前記文字列情報を取得する第３のステップと、前記文字列情報からパスワード情報を検出する第４のステップと、前記パスワード記憶手段に記憶されているパスワードと、前記第４のステップで検出したパスワード情報とが一致するか否かを判定する第５のステップと、前記第５のステップでの判定が一致した場合に、前記文字列情報内の発信指示の情報に従って、前記第３のステップで取得した前記電話番号に基づいて、前記電話番号により特定される相手に対して発信を行う第６のステップとをコンピュータに実行させることを特徴とする。
【発明の効果】
【００１５】
本発明では、パスワード記憶手段に記憶するパスワードと、インターフェース手段が取得するパスワードが一致する場合に、インターフェース手段が取得する電話番号により特定される相手に対して発信を行うようにした。
これにより、無線通信装置は電話番号により特定される相手の電話番号及びパスワードを入力しなければ使用することができないため、第三者の不正利用を防ぐことができる。
【発明を実施するための最良の形態】
【００１６】
以下、図面を参照し、本発明の実施形態について説明する。始めに、本発明の第１の実施形態による無線通信システムについて説明する。
図１は、本実施形態による無線通信システム１ａの構成を示すブロック図である。この無線通信システム１ａは、ＰＣ・１０、無線通信装置２０を備える。無線通信装置２０は、ＰＣ・１０に装着する無線通信カードなどの機器であり、ＰＣ・１０と基地局である「電話番号により特定される相手」（例えば、ＩＳＰ（Internet Service Provider）のアクセスポイントや、公衆電話回線を経由する通信相手）との間で行われる無線通信を仲介する。ここでは、「電話番号により特定される相手」がＩＳＰのアクセスポイントである場合を一例として、以下説明する。
ＰＣ・１０は、表示手段１１、入力手段１２、ＣＰＵ（Central Processing Unit）・１３、ＲＡＭ（Random Access Memory）・１４、ＲＯＭ（Read Only Memory）・１５を有する。ここでは、無線通信装置２０ａを装着する端末がＰＣの場合について説明するがこれに限定されるものではなく、携帯電話やＰＤＡ（Personal Digital Assistance）などその他の端末を使用してもよい。
【００１７】
表示手段１１は、ＬＣＤ（Liquid Crystal Display）などにより構成され、無線通信装置２０ａを介してアクセスポイントから受信したデータなどを画面に表示する。入力手段１２は、マウスやキーボードなどにより構成され、ＰＣ・１０を利用するユーザの操作に応じた電気信号をＣＰＵ・１３へ出力する。ＣＰＵ・１３は、表示手段１１、入力手段１２、ＲＡＭ・１４、ＲＯＭ・１５等との間でデータを入出力したり、制御命令を出力したりすることにより、ＰＣ・１０を制御する。
ＲＡＭ・１４は、無線通信装置２０ａを介してアクセスポイントから受信したデータなどを一時的に記憶したり、記憶しているデータをＣＰＵ・１３の制御命令に従って出力したりする。ＲＯＭ・１５は、読み出し専用のメモリであり、ＣＰＵ・１３が実行するプログラムなどを記憶し、ＣＰＵ・１３の制御命令に従ってそのプログラムを出力する。
【００１８】
無線通信装置２０ａは、インターフェース手段２１、パスワード判定手段２２、パスワード記憶手段２３、制御手段２４、パスワード検出手段２５、無線通信手段２６を有する。インターフェース手段２１は、ＰＣ・１０との間でデータの入出力を行う。
パスワード記憶手段２３は、後述するパスワード、共通パスワード、マスターパスワード等の情報を記憶する。
【００１９】
パスワード判定手段２２は、ＰＣ・１０の入力手段１２から入力されるパスワードと、パスワード記憶手段２３に記憶されているパスワードの比較等を行う。
制御手段２４は、インターフェース手段２１、パスワード判定手段２２、パスワード記憶手段２３、パスワード検出手段２５、無線通信手段２６等との間でデータの入出力を行ったり、制御命令を出力したりする。
パスワード検出手段２５は、ＰＣ・１０によりアクセスポイントに接続する際に、ＰＣ・１０から出力されるアクセスポイントの電話番号及びパスワード等の情報から、パスワードを検出し、パスワード判定手段２２へ出力する。
無線通信手段２６は、送信手段２７と受信手段２８を有する。送信手段２７は、制御手段２４から出力される信号に対して変調、周波数変換等の処理を行いアンテナ（図示省略）からアクセスポイントへ電波を送信する。受信手段２８は、アクセスポイントから送信される電波をアンテナを介して受信し、周波数変換、復調等の処理を行い、制御手段２４へ出力する。
【００２０】
次に、本実施形態による無線通信システム１ａにおいて、ＰＣ・１０からアクセスポイントに発信を行う場合の動作について図２を参照しながら説明する。図２の説明では、無線通信装置２０ａのパスワード記憶手段２３に、所定のパスワードが記憶されている場合を前提として説明する。
ＰＣ・１０により無線通信を行う場合に、ＰＣ・１０のユーザは、入力手段１２から「ａｔｄ１２３＃＃＃ＡＢＣ」等の文字列を入力する。ここで、「ａｔｄ１２３＃＃＃ＡＢＣ」の文字列中の「ａｔｄ」は無線通信装置２０ａからアクセスポイントに対して発信を行わせる制御命令を意味し、「１２３」は発信を行うアクセスポイントの電話番号を意味し、「ＡＢＣ」はパスワードを意味するものとする。なお、「＃＃＃」は電話番号とパスワードとを区切るセパレータを意味する。セパレータとして使用できる文字列は「＃＃＃」に限定されるものではなく、他の文字を使用することもできる。また、電話番号の桁数を固定長に設定したり、パスワードの先頭文字を電話番号に使用しない文字に設定したりすることによって、電話番号とパスワードを明確に識別することができれば、必ずしもセパレータを設ける必要はない。
【００２１】
制御手段２４は、インターフェース手段２１を介して、電話番号やパスワード等の情報を取得する（ステップＳ００１）。パスワード検出手段２５は、制御手段２４が取得した電話番号とパスワード等の情報から、パスワードの情報を検出する（ステップＳ００２）。パスワード判定手段２２は、パスワード検出手段２５によりパスワードが検出できたか否かについて判定する（ステップＳ００３）。パスワードを検出できなかった場合には、ステップＳ００３で「Ｎｏ」と判定し、ステップＳ００６へ進む。ステップＳ００６の処理については後述する。一方、パスワードを検出できた場合には、ステップＳ００３で「Ｙｅｓ」と判定し、ステップＳ００４へ進む。そして、パスワード判定手段２２は、パスワード検出手段２５が検出したパスワードと、パスワード記憶手段２３に予め記憶されているパスワードが一致するか否かについて判定する（ステップＳ００４）。パスワードが一致しない場合には、ステップＳ００６へ進む。ステップＳ００６の処理については後述する。一方、パスワードが一致した場合には、ステップＳ００４で「Ｙｅｓ」と判定し、制御手段２４が受信したアクセスポイントの電話番号「１２３」の情報に基づいて、そのアクセスポイント対して発信を行い（ステップＳ００５）、ＰＣ・１０とアクセスポイントの間で無線通信を開始する。
一方、ステップＳ００３でパスワードを検出できなかった場合、又は、ステップＳ００４でパスワードが一致しなかった場合には、制御手段２４は、アクセスポイントに対する発信を拒否し（ステップＳ００６）、ＰＣ・１０の表示手段等に対して、発信拒否を通知する「ＮＯ  ＣＡＲＲＩＥＲ」等のメッセージや、パスワードが一致していないことを通知する「ＩＮＶＡＬＩＤ  ＰＡＳＳＷＯＲＤ」等のメッセージを、エラー応答として出力する（ステップＳ００７）。
【００２２】
なお、上述した図２の説明では、パスワード記憶手段２３に１つのパスワードが記憶される場合について説明したが、このような構成に限定されるものではなく、複数のアクセスポイントの電話番号に対応したパスワードを記憶するようにしてもよい。例えば、電話番号「１２３」に対応するパスワードが「ＡＢＣ」であり、電話番号「４５６」に対応するパスワードが「ＤＥＦ」である場合、それぞれのアクセスポイントに対して発信を行う際には、「ａｔｄ１２３＃＃＃ＡＢＣ」、「ａｔｄ４５６＃＃＃ＤＥＦ」等の文字列を区別して使用することにより、無線通信を行うアクセスポイントを使い分けることができる。例えば、企業で社員に無線通信装置２０ａを配布して使用させる場合、事前に限られたアクセスポイントの電話番号にパスワードを設定しておき、その電話番号を一般社員に知らせるようにすることにより、企業が想定した電話番号への発信に限定して無線通信を行わせることができる。また上記の場合、電話番号毎に異なる通信方式、例えばＰＩＡＦＳ（PHS Internet Access Forum Standard）、パケット接続、音声接続に使用される電話番号で、異なるパスワードを設定することにより、所定の通信方式に限定して無線通信を行わせることができる。
【００２３】
次に、本実施形態による無線通信システム１ａにおいて、ＰＣ・１０からアクセスポイントに発信を行う場合の動作について図３を参照しながら説明する。図３の説明では、無線通信装置２０ａのパスワード記憶手段２３に、パスワードに「空」が設定されている場合について説明する。パスワードに「空」が設定されるということは、長さゼロのパスワードが設定されているということである。
ＰＣ・１０により無線通信を行う場合に、ＰＣ・１０のユーザは、入力手段１２から「ａｔｄ１２３＃＃＃」や「ａｔｄ１２３」等の文字列を入力する。制御手段２４は、インターフェース手段２１を介して、電話番号やパスワード等の情報を取得する（ステップＳ１０１）。パスワード検出手段２５は、制御手段２４が取得した情報に対してパスワードの検出できるか否かについて判定を行う（ステップＳ１０２、Ｓ１０３）。パスワードを検出できなかった場合には、ステップＳ１０３で「Ｎｏ」と判定し、ステップＳ１０６へ進む。ステップＳ１０６の処理については後述する。一方、パスワードを検出できた場合には、ステップＳ１０３で「Ｙｅｓ」と判定し、ステップＳ１０４へ進む。そして、パスワード判定手段２２は、パスワード検出手段２５が検出したパスワードと、パスワード記憶手段２３に予め記憶されているパスワードが一致するか否か判定する（ステップＳ１０４）。パスワードが一致しない場合には、ステップＳ１０４で「Ｎｏ」と判定し、ステップＳ１０８へ進む。ステップＳ１０８の処理については後述する。一方、パスワードが一致した場合には、ステップＳ１０４で「Ｙｅｓ」と判定し、制御手段２４が取得したアクセスポイントの電話番号の情報に基づいて、そのアクセスポイント対して発信を行い（ステップＳ１０５）、ＰＣ・１０とアクセスポイントの間で無線通信を開始する。
【００２４】
一方、ステップＳ１０３でパスワードを検出できなかった場合には、パスワード検出手段２５は、パスワード記憶手段２３に制御手段２４が取得した電話番号に対応するパスワードに「空」が設定されているか否かの判定を行う（ステップＳ１０６）。パスワード記憶手段２３に「空」が設定されている場合には、ステップＳ１０６で「Ｙｅｓ」と判定し、制御手段２４が受信したアクセスポイントの電話番号「１２３」に基づいて、そのアクセスポイント対して発信を行い（ステップＳ１０７）、ＰＣ・１０とアクセスポイントの間で無線通信を開始する。一方、ステップＳ１０６でパスワード記憶手段２３に「空」が設定されていない場合、又は、ステップＳ１０４でパスワードが一致しない場合には、制御手段２４は、アクセスポイントに対する発信を拒否し（ステップＳ１０８）、ＰＣ・１０の表示手段等にエラー応答を出力する（ステップＳ１０９）。
【００２５】
次に、本実施形態による無線通信システム１ａにおいて、ＰＣ・１０からアクセスポイントに発信を行う場合の動作について図４を参照しながら説明する。図４の説明では、無線通信装置２０ａのパスワード記憶手段２３に、アクセスポイントの電話番号に対応付けられて、パスワードが記憶され、かつ、そのパスワードとは別に共通パスワードが記憶されている場合について説明する。共通パスワードとは、上記通常のパスワードによって対応付けられた電話番号以外の、他の電話番号を発信する際に共通に使用されるパスワードである。
ＰＣ・１０により無線通信を行う場合に、ＰＣ・１０のユーザは、入力手段１２から「ａｔｄ７８９＃＃＃ＧＨＩ」等の文字列を入力する。ここで、「ａｔｄ７８９＃＃＃ＧＨＩ」の文字列中の「ＧＨＩ」は共通パスワードを意味するものとする。すなわち、共通パスワード「ＧＨＩ」を付加することにより、パスワードが設定されていない電話番号での発信を可能とする。
【００２６】
制御手段２４は、インターフェース手段２１を介して、電話番号とパスワード等の情報を取得する（ステップＳ２０１）。制御手段２４は、パスワード記憶手段２３から取得した電話番号に対応するパスワードを検索する（ステップＳ２０２）。電話番号に対応したパスワードがある場合には、ステップＳ２０２で「Ｙｅｓ」と判定し、パスワード設定されている電話番号への発信要求処理を行う（ステップＳ２０７）。
一方、電話番号に対応したパスワードがない場合には、パスワード検出手段２５により、電話番号情報からパスワードを検出することにより（ステップＳ２０３）、パスワードが検出できたか否かについて判定する（ステップＳ２０４）。パスワードを検出できた場合には、ステップＳ２０４で「Ｙｅｓ」と判定し、ステップＳ２０５へ進む。そして、その検出したパスワードと共通パスワードが一致しているかを判定する（ステップＳ２０５）。一致した場合には、ステップＳ２０５で「ＹＥＳ」と判定し、電話番号情報に基づいて発信処理を行う（ステップＳ２０６）。
一方、ステップＳ２０４でパスワードを検出できなかった場合、又は、ステップＳ２０５で共通パスワードと一致しなかった場合には、発信拒否対象と判定し（ステップＳ２０８）、インターフェース手段２１を介してエラー応答を行う（ステップＳ２０９）。
【００２７】
図４の説明では、パスワード記憶手段２３に、電話番号と対応付けられたパスワードとは別に、共通パスワードが予め記憶されている場合について説明したが、共通パスワードがパスワード記憶手段２３に予め記憶されていない場合には、ステップＳ２０１で受信する発信要求にパスワードが含まれていない場合であっても、発信を行うようにしても良い。
次に、図５を参照しながらその説明をする。なお、図４と共通の内容については説明を省略する。
ステップ２０４でパスワードを検出できなかった場合、「Ｎｏ」と判定し、共通パスワードが設定されているか否かについて判定を行う（ステップ２１０）。共通パスワードが設定されてる場合はステップＳ２１０で「Ｙｅｓ」と判定し、発信拒否対象として判定する（ステップＳ２０８）。一方、ステップＳ２１０で、共通パスワードが設定されていない場合は「Ｎｏ］と判定して、電話番号情報に基づいて発信を行う（ステップ２０６）。
このような処理を行えば、パスワードと共通パスワードを設定しないようにすることにより、電話番号にパスワードが付加されない場合での発信が可能となる。これにより、パスワードを付加する機能がないダイアルアップソフトによる発信も可能となる。
【００２８】
次に、本実施形態による無線通信システム１ａにおいて、パスワード記憶手段２３に記憶されているパスワードを変更する場合の第１の動作について図６を参照しながら説明する。図６の説明では、無線通信装置２０ａのパスワード記憶手段２３に、アクセスポイントに接続する際に必要なパスワードが記憶されていることを前提として説明する。
パスワード記憶手段２３に記憶されているパスワードの変更を希望するＰＣ・１０のユーザは、入力手段１２から「ａｔｐＸＹＺ＃＃＃ＡＢＣ」等の文字列を入力する。ここで、「ａｔｐＸＹＺ＃＃＃ＡＢＣ」の文字列中の「ａｔｐ」はパスワード記憶手段２３に記憶されているパスワードを変更する制御命令を意味し、「ＡＢＣ」はパスワード記憶手段２３に記憶されている古いパスワードを意味し、「ＸＹＺ」は古いパスワードに代えてパスワード記憶手段２３に記録する新しいパスワードを意味するものとする。
【００２９】
制御手段２４は、インターフェース手段２１を介して、「ａｔｐＸＹＺ＃＃＃ＡＢＣ」という文字列のデータをＰＣ・１０から取得する（ステップＳ３０１）。パスワード検出手段２５は、制御手段２４が取得した情報から、古いパスワードが検出できたか否かを判定する（ステップＳ３０２、Ｓ３０３）。古いパスワードを検出できなかった場合には、ステップＳ３０３で「Ｎｏ」と判定し、ステップＳ３０７へ進む。そして、パスワード記憶手段２３にパスワードが記憶されているか否かについて判定を行う（ステップＳ３０７）。パスワード記憶手段２３にパスワードが記憶されていない場合には、ステップＳ３０７で「Ｎｏ」と判定し、ステップＳ３０８へ進む。一方、パスワード記憶手段２３にパスワードが記憶されている場合には、ステップＳ３０７で「Ｙｅｓ」と判定し、ステップＳ３０６へ進む。ステップＳ３０６及びステップＳ３０８の処理については後述する。
【００３０】
ステップＳ３０３で古いパスワードを検出した場合には、パスワード判定手段２２は、制御手段２４が取得した古いパスワードと、パスワード記憶手段２３に記憶されているパスワードとを比較し（ステップＳ３０４）、それらのパスワードが一致したか否かについて判定を行う（ステップＳ３０５）。パスワードが一致しない場合には、パスワードの変更を拒否し、ＰＣ・１０の表示手段１１等にエラー応答を出力する（ステップＳ３０８）。一方、パスワードが一致した場合には、パスワード記憶手段２３に記憶されているパスワード「ＡＢＣ」を、制御手段２４が取得した新しいパスワード「ＸＹＺ」に変更し登録する（ステップＳ３０６）。
なお、図６の説明では、パスワード記憶手段２３にパスワードが予め記憶されている場合について説明したが、パスワードがパスワード記憶手段２３に予め記憶されていない場合や、パスワードが空に設定されていた場合は、ステップＳ３０１でＰＣ・１０から「ａｔｐＸＹＺ＃＃＃」や「ａｔｐＸＹＺ」など、古いパスワードを含まない文字列を入力することにより、パスワード記憶手段２３に新しいパスワード「ＸＹＺ」を記憶するようにしてもよい。
【００３１】
次に、本実施形態による無線通信システム１ａにおいて、パスワード記憶手段２３に記憶されているパスワードを変更する場合の第２の動作について図７を参照しながら説明する。図７の説明では、無線通信装置２０ａのパスワード記憶手段２３に、複数のアクセスポイントの電話番号と、それらのアクセスポイントに接続する際に必要なパスワードとが対応付けられて記憶されており、また、任意のアクセスポイントの電話番号のパスワードを変更するために必要なマスターパスワードが記憶されている場合を前提として説明する。
パスワード記憶手段２３に記憶されているパスワードの変更を希望するＰＣ・１０のユーザは、入力手段１２から「ａｔｐ１２３＃＃＃ＸＹＺ＊＊＊ＪＫＬ」等の文字列を入力する。ここで、「ａｔｐ１２３＃＃＃ＸＹＺ＊＊＊ＪＫＬ」の文字列中の「ＪＫＬ」はマスターパスワードを意味し、「ＸＹＺ」は古いパスワードに代えてパスワード記憶手段２３に記録する新しいパスワードを意味するものとする。なお、「＊＊＊」は古いパスワードと新しいパスワードを区切るセパレータを意味する。
【００３２】
制御手段２４は、インターフェース手段２１を介して、「ａｔｐ１２３＃＃＃ＸＹＺ＊＊＊ＪＫＬ」という文字列の情報をＰＣ・１０から取得する（ステップＳ４０１）。パスワード検出手段２５は、制御手段２４が取得した情報から、新しいパスワードとマスターパスワードが検出できたか否かを判定する（ステップＳ４０２、Ｓ４０３）。新しいパスワードとマスターパスワードを検出できなかった場合には、ステップＳ４０３で「Ｎｏ」と判定し、ステップＳ４０７へ進む。そして、パスワード記憶手段２３にマスターパスワードが記憶されているか否かについて判定を行う（ステップＳ４０７）。パスワード記憶手段２３にマスターパスワードが記憶されていない場合には、ステップＳ４０７で「Ｎｏ」と判定し、ステップＳ４０８へ進む。一方、パスワード記憶手段２３にマスターパスワードが記憶されている場合には、ステップＳ４０７で「Ｙｅｓ」と判定し、ステップＳ４０６へ進む。ステップＳ４０６及びステップＳ４０８の処理については後述する。
【００３３】
ステップＳ４０３で新しいパスワードとマスターパスワードを検出した場合には、パスワード判定手段２２は、制御手段２４が取得したマスターパスワードと、パスワード記憶手段２３に記憶されているマスターパスワードとを比較し（ステップＳ４０４）、それらのマスターパスワードが一致したか否かについて判定を行う（ステップＳ４０５）。マスターパスワードが一致しない場合には、パスワードの変更を拒否し、ＰＣ・１０の表示手段１１等にエラー応答を出力する（ステップＳ４０８）。一方、マスターパスワードが一致した場合には、パスワード記憶手段２３に記憶されているパスワードを、制御手段２４が取得した新しいパスワード「ＸＹＺ」に変更し登録する（ステップＳ４０６）。
なお、図７の説明では、パスワード記憶手段２３にマスターパスワードが予め記憶されている場合について説明したが、マスターパスワードがパスワード記憶手段２３に予め記憶されていない場合には、ステップＳ４０１でＰＣ・１０から「ａｔｐ１２３＃＃＃ＸＹＺ＊＊＊」や「ａｔｐ１２３＃＃＃ＸＹＺ」等、マスターパスワードが含まれていない文字列が入力されたときであっても、電話番号「１２３」に対応付けられたパスワードを新しいパスワード「ＸＹＺ」に変更するようにしてもよい。
【００３４】
次に、本実施形態による無線通信システム１ａにおいて、パスワード記憶手段２３に記憶されているマスターパスワードを変更する場合の動作について図８を参照しながら説明する。マスターパスワードの変更を希望するＰＣ・１０のユーザは、入力手段１２から「ａｔｑＭＮＯ＃＃＃ＪＫＬ」等の文字列を入力する。ここで、「ａｔｑＭＮＯ＃＃＃ＪＫＬ」の文字列中の「ａｔｑ」はパスワード記憶手段２３に記憶されているマスターパスワードを変更する制御命令を意味し、「ＪＫＬ」はパスワード記憶手段２３に記憶されている古いマスターパスワードを意味し、「ＭＮＯ」は古いマスターパスワードに代えてパスワード記憶手段２３に記録する新しいマスターパスワードを意味するものとする。
【００３５】
制御手段２４は、インターフェース手段２１を介して、「ａｔｑＭＮＯ＃＃＃ＪＫＬ」の文字列の情報を取得する（ステップＳ５０１）。パスワード検出手段２５は、制御手段２４が取得した情報から、古いマスターパスワード及び新しいマスターパスワードの検出を行うとともに（ステップＳ５０２）、古いマスターパスワードを検出することができたか否かについて判定を行う（ステップＳ５０３）。古いパスワードを検出できなかった場合には、ステップＳ５０３で「Ｎｏ」と判定し、ステップＳ５０７へ進む。ステップＳ５０７の処理については後述する。一方、古いパスワードを検出できた場合には、制御手段２４が取得した古いマスターパスワードと、パスワード記憶手段２３に記憶されているマスターパスワードを比較し（ステップＳ５０４）、それらのマスターパスワードが一致しているか否かについて判定を行う（ステップＳ５０５）。マスターパスワードが一致した場合には、ステップＳ５０５で「Ｙｅｓ」と判定し、パスワード記憶手段２３に記憶されているマスターパスワード「ＪＫＬ」を、制御手段２４が取得した新しいマスターパスワード「ＭＮＯ」に変更し登録する（ステップＳ５０６）。
【００３６】
一方、ステップＳ５０３で古いマスターパスワードを検出することができなかった場合には、パスワード記憶手段２３にマスターパスワードが記憶されていないか否か判定を行う（ステップＳ５０７）。パスワード記憶手段２３にマスターパスワードが記憶されていない場合には、ステップＳ５０７で「Ｙｅｓ」と判定し、上述したステップＳ５０６の処理を行う。一方、パスワード記憶手段２３にマスターパスワードが記憶されている場合には、ステップＳ５０７で「Ｎｏ」と判定し、パスワードの変更を拒否し、ＰＣ・１０の表示手段１１等にエラー応答を出力する（ステップＳ５０８）。
なお、図８の説明では、パスワード記憶手段２３にマスターパスワードが予め記憶されている場合について説明したが、マスターパスワードがパスワード記憶手段２３に予め記憶されていない場合や、マスターパスワードに空が設定されていた場合に、ステップＳ５０１でＰＣ・１０から「ａｔｑＭＮＯ＃＃＃」や「ａｔｑＭＮＯ」等、古いマスターパスワードが含まれていない文字列が入力されたときであっても、パスワード記憶手段２３に新しいマスターパスワード「ＭＮＯ」を記録するようにしてもよい。
【００３７】
次に、本発明の第２の実施形態による無線通信システム１ｂについて説明する。
図９は、本実施形態による無線通信システム１ｂの構成を示すブロック図である。この無線通信システム１ｂの構成が、第１の実施形態による無線通信システム１ａ（図１参照）と同じ構成を採る部分については同一の符号を付してその説明を省略する。本実施形態の無線通信システム１ｂの無線通信装置２０ｂは、遅延手段２９を有する点において、第１の実施形態の無線通信装置２０ａと相違する。
遅延手段２９は、無線通信装置２０ｂがＰＣ・１０から取得するパスワードがパスワード記憶手段２３に記憶されているパスワードと一致せず、再度、ＰＣ・１０からパスワードを取得してパスワード判定手段２２により判定する場合に、所定時間経過してから判定を行う。
【００３８】
次に、本実施形態による無線通信システム１ｂにおいて、ＰＣ・１０からアクセスポイントに発信を行う場合の動作について図１０を参照しながら説明する。図１０のステップＳ６０１〜Ｓ６０６、Ｓ６０８の処理については、第１の実施形態の無線通信システム１ａの動作を示す図２のステップＳ００１〜Ｓ００７の処理と同じであるので、その説明を省略する。本実施形態では、誤ったパスワードが入力された場合に発信拒否対象と判定する処理（ステップＳ６０６、図２のステップＳ００６）と、エラー応答を行う処理（ステップＳ６０８、図２のステップＳ００７）の間に、遅延手段２９によって所定時間遅延させる処理を行う（ステップＳ６０７）点で図２の処理とは相違している。
本実施形態の無線通信システム１ｂによれば、無線通信装置２０ｂが取得するパスワードに誤りがあった場合に、遅延手段２９により次回からのパスワード判定処理を所定時間遅延させるようにした。よって、機械的に連続して様々なパスワードを入力する攻撃（Brute Force Attack）を受けた場合であっても、異なるパスワードの試行毎に所定時間の遅延が生じるため、正しいパスワードの情報を取得するまでに相当の時間を要する。このため、無線通信システムの安全性を向上させることができる。
【００３９】
次に、本発明の第３の実施形態による無線通信システム１ｃについて説明する。
図１１は、本実施形態による無線通信システム１ｃの構成を示すブロック図である。この無線通信システム１ｃの構成が、第１の実施形態による無線通信システム１ａ（図１参照）と同じ構成を採る部分については同一の符号を付してその説明を省略する。本実施形態の無線通信システム１ｃの無線通信装置２０ｃは、認証失敗回数記録手段３０、ロックアウト手段３１を有する点において、第１の実施形態の無線通信装置２０ａと相違する。
認証失敗回数記録手段３０は、ＰＣ・１０から無線通信装置２０ｃに誤ったパスワードが入力された場合に、その誤ったパスワードが入力された回数を記録する。ロックアウト手段３１は、認証失敗回数記録手段３０に記録される誤ったパスワード入力された回数が所定回数を超えた場合に、無線通信装置１ｃに対してロックアウトの処理を行う。ロックアウトの内容としては、例えば、正しいパスワードが入力されたとしても無線通信装置１ｃからアクセスポイントに対する発信を拒否したり、ロックアウトの状態を回復させる特定の操作以外は受け付けないといった処理などがある。
【００４０】
次に、本実施形態による無線通信システム１ｃにおいて、ＰＣ・１０からアクセスポイントに発信を行う場合の動作について図１２を参照しながら説明する。図１２のステップＳ７０１〜Ｓ７０５、Ｓ７０９、Ｓ７１０の処理については、第１の実施形態の無線通信システム１ａの動作を示す図２のステップＳ００１〜Ｓ００３、Ｓ００６、Ｓ００７、Ｓ００４、Ｓ００５の処理と同じであるので、その説明を省略する。本実施形態では、エラー応答を行う処理（ステップＳ７０５、図２のステップＳ００７）以降の処理が図２の処理とは相違している。つまり、エラー応答があった場合には、認証失敗回数記録手段３０がそのエラー応答の回数を記録し（ステップＳ７０６）、所定回数に達したか否かについて判定を行う（ステップＳ７０７）。エラー応答の回数が所定回数に達していない場合には、ステップＳ７０７で「Ｎｏ」と判定し、ＰＣ・１０から入力される情報の取得を継続する（ステップＳ７１１）。一方、エラー応答の回数が所定回数に達した場合には、ステップＳ７０７で「Ｙｅｓ」と判定し、ロックアウト手段３１によりロックアウトの処理を行う（ステップＳ７０８）。
本実施形態の無線通信システム１ｃによれば、ＰＣ・１０から無線通信装置２０ｃが所定回数誤ったパスワードを取得した場合に、ロックアウト手段３１によりアクセスポイントへの発信を拒否する等のロックアウトの処理を行うようにした。よって、正しいパスワードの情報を取得するために、第三者が何度も異なったパスワードを入力する操作を繰り返し行うことを制限することができる。このため、無線通信システムの安全性を向上させることができる。
【００４１】
次に、本発明の第４の実施形態による無線通信システム１ｄについて説明する。
図１３は、本実施形態による無線通信システム１ｄの構成を示すブロック図である。この無線通信システム１ｄの構成が、第１の実施形態による無線通信システム１ａ（図１参照）と同じ構成を採る部分については同一の符号を付してその説明を省略する。本実施形態の無線通信システム１ｄの無線通信装置２０ｄは、認証失敗回数記録手段３０、位置情報検出手段３２を有する点において、第１の実施形態の無線通信装置２０ａと相違する。
認証失敗回数記録手段３０は、ＰＣ・１０から無線通信装置２０ｄに誤ったパスワードが入力された場合に、その誤ったパスワードが入力された回数を記録する。位置情報検出手段３２は、認証失敗回数記録手段３０に記録されている誤ったパスワード入力された回数が所定回数を越えた場合に、ＰＨＳの位置情報通知サービスや、ＧＰＳ（Global Positioning System）などの機能を利用して、無線通信装置１ｄの位置情報をアクセスポイント等に送信する。
【００４２】
次に、本実施形態による無線通信システム１ｄにおいて、ＰＣ・１０からアクセスポイントに発信を行う場合の動作について図１４を参照しながら説明する。図１４のステップＳ８０１〜Ｓ８０５、Ｓ８０９、Ｓ８１０の処理については、第１の実施形態の無線通信システム１ａの動作を示す図２のステップＳ００１〜Ｓ００３、Ｓ００６、Ｓ００７、Ｓ００４、Ｓ００５の処理と同じであるので、その説明を省略する。本実施形態では、エラー応答を行う処理（ステップＳ８０５、図２のステップＳ００７）以降の処理が図２の処理とは相違している。つまり、エラー応答があった場合には、認証失敗回数記録手段３０がそのエラー応答の回数を記録し（ステップＳ８０６）、所定回数に達したか否かについて判定を行う（ステップＳ８０７）。エラー応答の回数が所定回数に達していない場合には、ステップＳ８０７で「Ｎｏ」と判定し、ＰＣ・１０から入力される情報の取得を継続する（ステップＳ８１１）。一方、エラー応答の回数が所定回数に達した場合には、ステップＳ８０７で「Ｙｅｓ」と判定し、位置情報検出手段３２により無線通信装置２０ｄの位置情報を基地局であるアクセスポイント等に送信する（ステップＳ８０８）。
【００４３】
本実施形態の無線通信システム１ｄによれば、ＰＣ・１０から無線通信装置２０ｃが所定回数誤ったパスワードを取得した場合に、位置情報検出手段３２により無線通信装置２０ｄの位置情報をアクセスポイント等へ送信するようにした。よって、第三者が無線通信装置２０ｄを盗難して不正使用を行おうとしても、所定回数誤ったパスワードを入力すると、その無線通信装置２０ｄが送信する位置情報に基づいてその所在地を割り出すことができる。このため、無線通信システムの安全性を向上させることができる。
【００４４】
なお、ユーザが使用するＰＣ・１０には、アクセスポイントに発信を行うための専用のアプリケーションを組み込んでもよい。この専用のアプリケーションでは、図１５に示すような処理を行う。ユーザはアクセスポイントに対して発信を希望する場合に、ＰＣ・１０の入力手段１２を操作することにより専用のアプリケーションを起動する（ステップＳ９０１）。起動された専用のアプリケーションは、表示手段１１にメッセージを表示等することにより、ユーザに対してアクセスポイントのパスワードの入力を要求する（ステップＳ９０２）。ＰＣ・１０の表示手段１１には、図１６に示すような画面Ａ１が表示される。画面Ａ１には、メッセージ表示領域Ａ２、パスワード入力欄Ａ３、ソフトウェアキーボードＡ４、ＣａｎｃｅｌボタンＡ５、ＯＫボタンＡ６などが表示される。メッセージ表示領域Ａ２には、「ＸＸＸ（アクセスポイント）へ発信を行います。パスワードを入力してください」等のメッセージが表示される。このメッセージに基づいて、ユーザは、パスワード入力欄Ａ３にソフトウェアキーボードＡ４を操作することにより、アクセスポイントのパスワードを入力する。パスワードを入力し終わった場合には、ＯＫボタンＡ６を選択する。また、アクセスポイントへの発信を中止する場合には、ＣａｎｃｅｌボタンＡ５を選択する。このように、ソフトウェアキーボードＡ４を使用することで、キーロガー対策を行うことができ、安全性を向上させることができる。
図１５に戻り、専用のアプリケーションは、予めＲＡＭ・１４などに記憶されているアクセスポイントの電話番号の情報と、入力手段１１に入力されたパスワードの情報を無線通信装置２０に出力することにより、アクセスポイントに対して発信を行う（ステップＳ９０３）。
【００４５】
一方、ＰＣ・１０で、アクセスポイントに発信を行うために既存のアプリケーションを使用することも可能である。例えば、図１７に示すように、表示手段１１に画面Ａ７を表示させ、ＯＳ（Operating System）に付属しているダイヤルアップアプリなどの従来の通信アプリケーションを利用して電話番号の入力欄Ａ８に、「１２３＃＃＃ＡＢＣ」などの電話番号にパスワードを付加した文字列を入力する。この方法を使用すれば、専用のアプリケーションを使用できないＰＤＡなどでも支障なくアクセスポイントへの発信を行うことができる。なお、ＩＤの入力欄Ａ９とパスワードの入力欄Ａ１０には、従来通り、プロバイダに対するＩＤとパスワードを入力する。
【００４６】
なお、上述した実施形態では、アクセスポイントの電話番号に対応するパスワードを設定する場合について説明したが、回線交換やパケット交換などの通信方式や、発信時刻等の発信条件に応じてパスワードを設定するようにしてもよい。このような構成にすれば、例えば、料金体系が定額制の通信方式と、従量課金制の通信方式の２つの通信方式を使用することが可能な場合であっても、どちらかの通信方式に限定して無線通信を利用させること等が可能になる。
【００４７】
上述した本発明の実施形態による無線通信システム１を使用すれば、アクセスポイントのパスワードを知らない第三者は無線通信装置２０からアクセスポイントに発信することができないため、不正利用を防ぐことができる。また、従来技術では、盗難等により紛失した機器の第三者による不正使用を防止するためには、その機器の電源が投入されている必要があったが、本実施形態による無線通信装置２０では、電源が入っているか否かを問わず、第三者の不正使用を防ぐことができる。また、接続するアクセスポイントに応じたパスワードを設定することにより、ユーザごとに接続可能なアクセスポイントを制限することができる。また、アクセスポイントに発信を行うための専用のアプリケーションを使用することにより、より安全性を向上させることができる。
【００４８】
なお、以上説明した実施形態において、図１、図９、図１１、図１３のパスワード判定手段２２、制御手段２４、パスワード検出手段２５、遅延手段２９、認証失敗回数記録手段３０、ロックアウト手段３１、位置情報検出手段３２などの機能を実現するためのプログラムをコンピュータ読み取り可能な記録媒体に記録して、この記録媒体に記録されたプログラムをコンピュータシステムに読み込ませ、実行することにより無線通信システムの制御を行ってもよい。なお、ここでいう「コンピュータシステム」とは、ＯＳや周辺機器等のハードウェアを含むものとする。
【００４９】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００５０】
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００５１】
【図１】本発明の第１の実施形態による無線通信システム１ａの構成を示すブロック図である。
【図２】本実施形態の無線通信システム１ａの動作（発信）を示すフローチャートである。
【図３】本実施形態の無線通信システム１ａの動作（発信）を示すフローチャートである。
【図４】本実施形態の無線通信システム１ａの動作（発信）を示すフローチャートである。
【図５】本実施形態の無線通信システム１ａの動作（発信）を示すフローチャートである。
【図６】本実施形態の無線通信システム１ａの動作（パスワード変更）を示すフローチャートである。
【図７】本実施形態の無線通信システム１ａの動作（パスワード変更）を示すフローチャートである。
【図８】本実施形態の無線通信システム１ａの動作（パスワード変更）を示すフローチャートである。
【図９】本発明の第２の実施形態による無線通信システム１ｂの構成を示すブロック図である。
【図１０】本実施形態の無線通信システム１ｂの動作を示すフローチャートである。
【図１１】本発明の第３の実施形態による無線通信システム１ｃの構成を示すブロック図である。
【図１２】本実施形態の無線通信システム１ｃの動作を示すフローチャートである。
【図１３】本発明の第４の実施形態による無線通信システム１ｄの構成を示すブロック図である。
【図１４】本実施形態の無線通信システム１ｄの動作を示すフローチャートである。
【図１５】専用のアプリケーションを使用した場合の動作を示すフローチャートである。
【図１６】ＰＣ・１０の表示手段１１に表示される画面の一例を示す図である。
【図１７】既存のアプリケーションを使用した場合の動作を示すフローチャートである。
【符号の説明】
【００５２】
１（１ａ〜１ｄ）・・・無線通信システム、１０・・・ＰＣ、１１・・・表示手段、１２・・・入力手段、１３・・・ＣＰＵ、１４・・・ＲＡＭ、１５・・・ＲＯＭ、２０（２０ａ〜２０ｄ）・・・無線通信装置、２１・・・インターフェース手段、２２・・・パスワード判定手段、２３・・・パスワード記憶手段、２４・・・制御手段、２５・・・パスワード検出手段、２６・・・無線通信手段、２７・・・送信手段、２８・・・受信手段、２９・・・遅延手段、３０・・・認証失敗回数記録手段、３１・・・ロックアウト手段、３２・・・位置情報検出手段
【図１】
0004800693.tif 000002
【図２】
0004800693.tif 000003
【図３】
0004800693.tif 000004
【図４】
0004800693.tif 000005
【図５】
0004800693.tif 000006
【図６】
0004800693.tif 000007
【図７】
0004800693.tif 000008
【図８】
0004800693.tif 000009
【図９】
0004800693.tif 000010
【図１０】
0004800693.tif 000011
【図１１】
0004800693.tif 000012
【図１２】
0004800693.tif 000013
【図１３】
0004800693.tif 000014
【図１４】
0004800693.tif 000015
【図１５】
0004800693.tif 000016
【図１６】
0004800693.tif 000017
【図１７】
0004800693.tif 000018